(57)【要約】【課題】フィルムロール包装体を安定して効率良く搬送することのできるフィルムロール包装体搬送用架台を提供する。【解決手段】外側枠部２３、２３（第２の支持固定部）及び内側枠部３３、３３（第１の支持固定部）は、各々、内側に折り畳むことが可能に構成されており、コンパクト化を図ることができる。また、外側枠部２３、２３及び内側枠部３３、３３の各々に対応する少なくとも異なる２つの幅を有するフィルム２が巻回されたフィルムロール包装体１を支持固定することができる。さらに、フィルムロール包装体１のフィルム２の両側面部近傍にて、フィルム２を包装する包装材５、６を挟んでコア３を内側枠部３３、３３、或いは外側枠部２３、２３、によって支持固定するので、強く巻取りの出来ないフィルム２が巻回されたフィルムロール包装体１であっても、その巻ずれ等を良好に防止して搬送することができる。【選択図】      図４
2004161314.tif 000002
【特許請求の範囲】
【請求項１】
略円筒形状を成すコアの外周面に、前記コアの両側端部を残して長尺のフィルム部材が券回され、且つ前記フィルム部材が包装部材により包装されてなるフィルムロール包装体を支持固定して搬送するためのフィルムロール包装体搬送用架台であって、
前記コアの外周面に当接して前記コアを支持するための略半筒形状を成す第１の支持部材と、前記第１の支持部材に設けられ、前記第１の支持部材と対向する向きから前記コアの外周面に当接して前記コアを固定する第１の固定部材と、前記第１の支持部材を支持する第１の支柱と、を有し、前記コアの前記フィルム部材を挟む両側に位置する一対の第１の支持固定部と、
前記コアの外周面に当接して前記コアを支持するための略半筒形状を成す第２の支持部材と、前記第２の支持部材に設けられ、前記第２の支持部材と対向する向きから前記コアの外周面に当接して前記コアを固定する第２の固定部材と、前記第２の支持部材を支持する第２の支柱と、を有し、前記コアの前記フィルム部材を挟む両側に位置し、且つ前記第１の支持固定部よりも前記コアの両側端部側に位置する一対の第２の支持固定部と、
前記一対の第１の支柱及び前記一対の第２の支柱の各々を互いに対向する向きに起倒可能に支持する基台部と、を備えたことを特徴とするフィルムロール包装体搬送用架台。
【請求項２】
略円筒形状を成すコアの外周面に、前記コアの両側端部を残して長尺のフィルム部材が券回され、且つ前記フィルム部材が包装部材により包装されてなるフィルムロール包装体を支持固定して搬送するためのフィルムロール包装体搬送用架台であって、
前記コアの外周面に当接して前記コアを支持するための略半筒形状を成す第１の支持部材と、前記第１の支持部材に設けられ、前記第１の支持部材と対向する向きから前記コアの外周面に当接して前記コアを固定する第１の固定部材と、前記第１の支持部材を支持する第１の支柱と、を有し、前記コアの前記フィルム部材を挟む両側に位置する一対の第１の支持固定部と、
前記コアの外周面に当接して前記コアを支持するための略半筒形状を成す第２の支持部材と、前記第２の支持部材に設けられ、前記第２の支持部材と対向する向きから前記コアの外周面に当接して前記コアを固定する第２の固定部材と、前記第２の支持部材を支持する第２の支柱と、を有し、前記コアの前記フィルム部材を挟む両側に位置し、且つ前記第１の支持固定部よりも前記コアの両側端部側に位置する一対の第２の支持固定部と、
前記一対の第１の支柱の各々を着脱可能に支持すると共に、前記一対の第２の支柱の各々を互いに対向する向きに起倒可能に支持する基台部と、を備えたことを特徴とするフィルムロール包装体搬送用架台。
【請求項３】
前記一対の第１の支持固定部の内、少なくとも一方を水平方向に移動させる移動機構部をさらに有することを特徴とする請求項１又は請求項２に記載のフィルムロール包装体搬送用架台。
【請求項４】
前記移動機構部により移動される前記第１の支持固定部を任意の位置に固定する固定機構部をさらに有することを特徴とする請求項３に記載のフィルムロール包装体搬送用架台。
【請求項５】
前記一対の第１の支持部材、又は前記一対の第２の支持部材の各々は、前記フィルムロール包装体の包装部材を挟んで前記コアの外周面に当接することを特徴とする請求項１乃至請求項４の何れか一項に記載のフィルムロール包装体搬送用架台。
【請求項６】
前記一対の第１の支持固定部における第１の支持部材の互いに対向する側面、及び前記一対の第２の支持固定部における第２の支持部材の互いに対向する側面に弾性部材を設けることを特徴とする請求項１乃至請求項５の何れか一項に記載のフィルムロール包装体搬送用架台。
【請求項７】
前記第１の支柱の起倒位置を、前記第２の支柱の起倒位置よりも低い位置に設けることを特徴とする請求項１乃至請求項６の何れか一項に記載のフィルムロール包装体搬送用架台。
【請求項８】
前記第１の支持部を、前記第２の支持部よりも低い位置に設けることを特徴とする請求項１乃至請求項７の何れか一項に記載のフィルムロール包装体搬送用架台。
【請求項９】
前記第１の支柱を倒した場合に、前記第１の支柱を支持する第１の受部をさらに有することを特徴とする請求項１乃至請求項８の何れか一項に記載のフィルムロール包装体搬送用架台。
【請求項１０】
前記第２の支柱を倒した場合に、前記第２の支柱を支持する第２の受部をさらに有することを特徴とする請求項１乃至請求項９の何れか一項に記載のフィルムロール包装体搬送用架台。
【発明の詳細な説明】
【０００１】
【発明の属する技術分野】
本発明は、略円筒形状を成すコアの外周面上にその両側端部を残してフィルムを巻回してなるフィルムロールにポリエチレンフィルム等からなる包装体を複数枚巻いて包装してなるフィルムロール包装体を搬送するために用いられるフィルムロール包装体搬送用架台に関するものである。
【０００２】
【従来の技術】
従来より、液晶表示装置の液晶等を支持するために用いられる長尺のＴＡＣフィルム、ＰＥＴフィルム、或いは、感光フィルム等のフィルム１０２は、図１６に示すように、円筒形状を成すコア１０３の外周面上に、その両側端部を残して巻回されてロール状のフィルムロールとされた後、塵や埃、湿気、光等からこれを保護するために、同図若しくは図１７に示すように、例えばポリエチレンフィルムからなる包装部材１０４を複数枚巻いて包装された状態でフィルムロール包装体１０１とされる。
【０００３】
このフィルムロール包装体１０１は、図１８に示すように、コア１０３の両側端面部（近傍の外周面）を、このコア１０３専用に設計されたフィルムロール包装体搬送用架台（以下、架台と称する）１１１の支持固定部１１２によって支持固定されて、そのままの状態でトラック等により搬送され、納入先の工場等へ納品されることとなっている。
【０００４】
工場等へと納品されたフィルムロール包装体１０１は、架台１１１から取り出され、包装材１０５が剥がされた後、工場等の液晶表示装置の製造工程に導入される。
【０００５】
ところで、フィルムロール包装体１０１を構成するフィルム１０２には、規定に応じた複数の幅が設けられており、これを巻回するコア１０３は、このフィルム１０２の幅に応じてその長さが決定される。従って、通常、これを支持固定する架台１１１は、このコア１０３の長さに応じた複数の大きさのものが用意されている。
【０００６】
また、架台１１１は、図１８に示すように、支柱１１４の下端部を形成する皿部１１４ａに、他の架台１１１の支柱１１４の上端部１１４ｂを挿入することで、互いに積層することが可能に構成されている。これにより、複数の架台１１１を積層することが可能となり、それらを一時に効率良く運搬することが可能となっている。
【０００７】
また、架台１１１は、通常、ダンボール・木材・スチール等から成る部材により構成され、分解、或いは、折畳み等が可能となっている。従って、フィルムロール包装体１０１を搬送した後の架台１１１は、コンパクトにして回収することが可能となっている。
【０００８】
因みに、本例においては、架台１１１は、図１８に示すように、支柱１１４の途中部分から取外し可能となっており、フィルムロール包装体１０１を搬送した後の架台１１１を回収する際には、この支柱１１４の上半部分を取り外すことでコンパクトにして、これを効率良く運搬することが可能となっている。
【０００９】
以上に説明したように、架台１１１は、フィルムロール包装体１０１を支持固定することで、フィルムロール包装体１０１を安定した状態で搬送して、例えばフィルム１０２の巻回状態が搬送時に変動すること等を防止することのみならず、複数のフィルムロール包装体１０１を効率良く搬送することや、また、当該架台１１１を回収する際には、コンパクト化されて効率良く搬送されること等が要求されることとなっている。
【００１０】
尚、本例に挙げた架台１１１は、あくまでも一般的な一形態を例示したものに過ぎず、この他にも、例えば特開２００１−１０６４３５号公報（例えば、特許文献１参照）や、特開２００１−２２００３６号公報（例えば、特許文献２参照）に記載されるようなものがある。因みに、これら公報においては、支柱が折り畳み可能とされ、コンパクト化が図られたものや、フィルムが全て引き出された後のコアを支持固定することを可能にしたものや、複数のフィルムロール包装体を同時に支持固定することを可能にしたもの等が開示されている。
【００１１】
【特許文献１】
特開２００１−１０６４３５号公報
（段落〔００５１〕‐〔００６４〕、〔００７１〕‐〔００７５〕、第７図乃至第９図、第１１図）
【特許文献２】
特開２００１−２２００３６号公報
（段落〔０００２〕‐〔０００６〕、第１０図乃至第１３図）
【００１２】
【発明が解決しようとする課題】
図１８に戻って、ところが、このような架台１１１には、以下に記載するような問題があった。例えば、大きさの異なるフィルムロール包装体１０１を一時に搬送する場合には、これに応じて、大きさの異なる架台１１１が用いられることとなり、これら大きさの異なる架台１１１をトラック等の荷台に積層する際には、その大きさを揃えて積層することが不可欠となり、積載効率の悪化が招かれていた。また、これら大きさの異なる架台１１１を工場等において保管する際にも、その滞留効率の悪化が招かれていた。
【００１３】
また、前述したように、フィルムロール包装体１０１を搬送した後の架台１１１を回収するために、架台１１１の支柱１１４の上半部分を取り外して、これをコンパクト化した場合には、その物流過程において、架台１１１の支柱１１４の上半部分が紛失するといったケースが生じ、再度、これを使用しようとしても、その機能を満たさなくなる場合があった（これは、分解可能に構成された架台において、共通した問題となっている）。
【００１４】
また、フィルム１０２には、強度的な問題から強く巻取りを行うことが出来ないものもあり、このようなフィルム１０２は、その搬送過程においてコア１０３の軸方向に外力が加わった場合に容易に巻きずれを生じるため、フィルム１０２の端面部が架台１１１の支持固定部１１２等と接触して破損し、その製品価値が失われる問題があった。
【００１５】
本発明は、上記課題を鑑みてなされたものであり、その目的とするところは、異なる大きさを有するフィルムロール包装体であっても、これらを共通して支持固定することができ、また、当該架台をコンパクト化して回収する際には、部品等を紛失する恐れもなく、さらには、強く巻取りの出来ないフィルムが巻回されたフィルムロール包装体を支持固定する場合であっても、その巻ずれ等を良好に防止して、フィルムロール包装体を安定して効率良く搬送することのできるフィルムロール包装体搬送用架台を提供することにある。
【００１６】
【課題を解決するための手段】
上記課題を解決するために、請求項１記載の発明は、略円筒形状を成すコアの外周面に、前記コアの両側端部を残して長尺のフィルム部材が券回され、且つ前記フィルム部材が包装部材により包装されてなるフィルムロール包装体を支持固定して搬送するためのフィルムロール包装体搬送用架台であって、前記コアの外周面に当接して前記コアを支持するための略半筒形状を成す第１の支持部材と、前記第１の支持部材に設けられ、前記第１の支持部材と対向する向きから前記コアの外周面に当接して前記コアを固定する第１の固定部材と、前記第１の支持部材を支持する第１の支柱と、を有し、前記コアの前記フィルム部材を挟む両側に位置する一対の第１の支持固定部と、前記コアの外周面に当接して前記コアを支持するための略半筒形状を成す第２の支持部材と、前記第２の支持部材に設けられ、前記第２の支持部材と対向する向きから前記コアの外周面に当接して前記コアを固定する第２の固定部材と、前記第２の支持部材を支持する第２の支柱と、を有し、前記コアの前記フィルム部材を挟む両側に位置し、且つ前記第１の支持固定部よりも前記コアの両側端部側に位置する一対の第２の支持固定部と、前記一対の第１の支柱及び前記一対の第２の支柱の各々を互いに対向する向きに起倒可能に支持する基台部と、を備えたことを特徴とする。
【００１７】
上記課題を解決するために、請求項２記載の発明は、略円筒形状を成すコアの外周面に、前記コアの両側端部を残して長尺のフィルム部材が券回され、且つ前記フィルム部材が包装部材により包装されてなるフィルムロール包装体を支持固定して搬送するためのフィルムロール包装体搬送用架台であって、前記コアの外周面に当接して前記コアを支持するための略半筒形状を成す第１の支持部材と、前記第１の支持部材に設けられ、前記第１の支持部材と対向する向きから前記コアの外周面に当接して前記コアを固定する第１の固定部材と、前記第１の支持部材を支持する第１の支柱と、を有し、前記コアの前記フィルム部材を挟む両側に位置する一対の第１の支持固定部と、前記コアの外周面に当接して前記コアを支持するための略半筒形状を成す第２の支持部材と、前記第２の支持部材に設けられ、前記第２の支持部材と対向する向きから前記コアの外周面に当接して前記コアを固定する第２の固定部材と、前記第２の支持部材を支持する第２の支柱と、を有し、前記コアの前記フィルム部材を挟む両側に位置し、且つ前記第１の支持固定部よりも前記コアの両側端部側に位置する一対の第２の支持固定部と、前記一対の第１の支柱の各々を着脱可能に支持すると共に、前記一対の第２の支柱の各々を互いに対向する向きに起倒可能に支持する基台部と、を備えたことを特徴とする。
【００１８】
また、請求項３記載の発明は、請求項１又は請求項２に記載のフィルムロール包装体搬送用架台であって、前記一対の第１の支持固定部の内、少なくとも一方を水平方向に移動させる移動機構部をさらに有することを特徴とする。
【００１９】
また、請求項４記載の発明は、請求項３に記載のフィルムロール包装体搬送用架台であって、前記移動機構部により移動される前記第１の支持固定部を任意の位置に固定する固定機構部をさらに有することを特徴とする。
【００２０】
また、請求項５記載の発明は、請求項１乃至請求項４の何れか一項に記載のフィルムロール包装体搬送用架台であって、前記一対の第１の支持部材、又は前記一対の第２の支持部材の各々は、前記フィルムロール包装体の包装部材を挟んで前記コアの外周面に当接することを特徴とする。
【００２１】
また、請求項６記載の発明は、請求項１乃至請求項５の何れか一項に記載のフィルムロール包装体搬送用架台であって、前記一対の第１の支持固定部における第１の支持部材の互いに対向する側面、及び前記一対の第２の支持固定部における第２の支持部材の互いに対向する側面に弾性部材を設けることを特徴とする。
【００２２】
また、請求項７記載の発明は、請求項１乃至請求項６の何れか一項に記載のフィルムロール包装体搬送用架台であって、前記第１の支柱の起倒位置を、前記第２の支柱の起倒位置よりも低い位置に設けることを特徴とする。
【００２３】
また、請求項８記載の発明は、請求項１乃至請求項７の何れか一項に記載のフィルムロール包装体搬送用架台であって、前記第１の支持部を、前記第２の支持部よりも低い位置に設けることを特徴とする。
【００２４】
また、請求項９記載の発明は、請求項１乃至請求項８の何れか一項に記載のフィルムロール包装体搬送用架台であって、前記第１の支柱を倒した場合に、前記第１の支柱を支持する内受部をさらに有することを特徴とする。
【００２５】
また、請求項１０記載の発明は、請求項１乃至請求項９の何れか一項に記載のフィルムロール包装体搬送用架台であって、前記第２の支柱を倒した場合に、前記第２の支柱を支持する第２の受部をさらに有することを特徴とする。
【００２６】
【発明の実施の形態】
以下、本発明に係るフィルムロール包装体搬送用架台の様々な実施形態について、図面を参照して具体的に説明する。
【００２７】
［第一の実施形態］
まず始めに、本実施形態におけるフィルムロール搬送用架台（以下、架台と称する）に支持固定されるフィルムロール包装体について説明する。
【００２８】
フィルムロール包装体１は、図１及び図２に示すように、長尺のフィルム２をコア３に巻回してなるフィルムロール４と、このフィルムロール４を多重に包装する包装材５、６とから構成されている。
【００２９】
フィルム２は、例えば液晶表示装置の液晶を支持するために用いられるＴＡＣフィルムや、ＰＥＴフィルム、感光フィルム等である。また、コア３は、例えばＦＲＰ（繊維強化プラスチック）製の円筒状部材であって、中空内部の両端から所定の長さ中央側位置には、図２に示すように、節状の栓３ａが設けられている。因みに、コア３の端面（開口面）から栓３ａまでの長さは、フィルムロール包装体１又はフィルムロール４を工場等の装置におけるコアチャックに固定する際に必要とされる長さ以上に設定されている。さらに、包装材５、６は、例えばポリエチレン製フィルムからなり、所定の強さでフィルムロール４に巻きつけられ、それぞれ端部に接着テープ７、８が貼り付けられて固定される。
【００３０】
次に、このようなフィルムロール包装体１を支持固定する当該架台について説明する。
【００３１】
当該架台２１は、図３に示すように、略長方形状を成す基枠部２２１に天板２２２が取り付けられて成る基台部２２と、この基台部２２の長手方向の両端部に設けられ、フィルムロール包装体１のコア３を支持する（場合によっては、同時にフィルムロール包装体１のフィルム２の両側面部に関する位置を規定する）外側枠部２３、２３と、さらに、これらの間にあって基台部２２の天板上に設けられ、フィルムロール包装体１のフィルム２の両側面部の位置を規定する内側枠部３３、３３とから構成されている。尚、外側枠部２３、２３は、本発明の「第２の支持固定部」に対応する。また、内側枠部３３、３３は、本発明の「第１の支持固定部」に対応する。
【００３２】
当該架台２１にフィルムロール包装体１を支持固定した状態を、図４及び図５に示す。図４には、内側枠部３３、３３の間隔に対応した比較的小さな幅（例えば、１０８０ｍｍ）を有するフィルム２が巻回されたフィルムロール包装体１を支持固定した状態を示している。また、図５には、外側枠部２３、２３の間隔に対応した比較的大きな幅（例えば、１３３０ｍｍ）を有するフィルム２が巻回されたフィルムロール包装体１を支持固定した状態を示している。尚、図５においては、外側枠部２３、２３の間隔に対応した比較的大きな幅を有するフィルムロール包装体１を支持固定するために、内側枠部３３、３３を互いに内側に倒した状態としているが、この内側枠部３３、３３を起倒させる構造の詳細については後述する。
【００３３】
このように、当該架台２１においては、内側枠部３３、３３の間隔、及び外側枠部２３、２３の間隔の何れかに対応する、少なくとも２つの異なる幅を有するフィルム２が巻回されたフィルムロール包装体１を支持固定することが可能になっている。従って、これら異なる幅を有するフィルム２が巻回されたフィルムロール包装体１を支持固定する場合であっても、当該架台２１を共通して用いることができ、当該架台２１をトラック等の荷台に積層する際の積載効率や、当該架台２１を工場等において保管する際の滞留効率等を向上させることができる。尚、当該架台２１を積層する構造の詳細については後述する。
【００３４】
図３に戻って、内側枠部３３、３３は、各々、２本の中空角形の支柱３４、３４間に横支持部材３５、３６が掛け渡されて成り、横支持部材３５の中央部には、図６に示すように、下向きに湾曲して、コア３の端部を載置し、フィルムロール包装体１を支持するための支持部３５ａが設けられている。また、横支持部材３５の支持部３５ａと平坦部３５ｂとの境界付近には、コア３を上方から押さえ付けて固定するための固定部材３７が、平坦部３５ｂに回動自在に取り付けられている。尚、支柱３４、３４は、本発明の「第１の支柱」に対応する。また、支持部３５ａは、本発明の「第１の支持部材」に対応する。また、固定部材３７は、本発明の「第１の固定部材」に対応する。
【００３５】
固定部材３７は、図６に示すように、支持部３５ａを渡すように設けられた固定バー３８と、この固定バー３８の一端を平坦部３５ｂに回動自在に支持する固定バー支持部３９と、固定バー３８の他端を平坦部３５ｂに固定する固定部４０を有している。
【００３６】
また、固定バー支持部３９は、図６に示すように、断面コの字状となる支持部本体３９ａを有しており、固定バー３８の一端は、当該コの字が形成する空間内に収容されるよう設置されている。また、この収納された固定バー３８の一端には、ピン３９ｂが貫通配置されるとともに、該ピン３９ｂの両端は支持部本体３９ａの二つの側面に対して適当な手段により保持されている。固定バー３８は、このような構成により、図中矢印Ａに示すように垂直方向に回動自在となっている。また、支持部本体３９ａと平坦部３５ｂとの間には、図示しない回動部材が設けられており、これによって固定バー３８は、図中矢印Ｂに示すように水平方向にも回動自在となっている。
【００３７】
一方、固定部４０は、上記支持部本体３９ａと略同形状となる固定部本体４０ａを有しており、固定バー３８の他端を収納するような形で、これを固定する。
そして、図示のように収納された固定バー３８の他端は、固定バー用ロック機構４０ｂによってより確実な固定がなされるようになっている。
【００３８】
この固定バーロック機構４０ｂは、図６に示すように、金属片４０ｃ及びロックピン４０ｇによって構成されている。金属片４０ｃは、例えば平板状金属を図示所定の（半円断面部４０ｄを有する）形状に変形するとともに、半円断面部４０ｄを構成する金属片にコの字状の孔４０ｅを設けた形態を有している。そして、この金属片４０ｃの半円断面部４０ｄ内に、図中左右方向に移動可能なるロックピン４０ｇが設けられている。ロックピン４０ｇは、その先端に図示しない鍵（例えば、ピン先端を直角に折曲したもの）が、また、その他端にはレバー４０ｆが設けられている。このレバー４０ｆは、孔４０ｅを介して金属片４０ｃの外部へと突出している。
【００３９】
また、固定バー３８の他端先端部には、図示しない固定孔が設けられている。
そして、この固定孔の底部には、ロックピン４０ｇの先端に設けられた鍵に対応する鍵穴が設けられている。
【００４０】
以上に説明した構成により、レバー４０ｆによってロックピン４０ｇを図中左方向に移動させて、その先端を固定孔に挿入し、且つレバー４０ｆを回動させて、ロックピン４０ｇの鍵及び固定バー３８の鍵穴を嵌合させることで、固定バー３８は確実に固定される。
【００４１】
また、支柱３４、３４は、図７に示すように、基台部２２に一体的に固着された固定支柱部３４１と、その結合箇所において、図中矢印Ｃに示すように、垂直方向に回動可能に取り付けられた可動支柱部３４２から構成されており、このような構成において、当該内側枠部３３、３３を使用してフィルムロール包装体１を搬送する時には、可動支柱部３４２の下端部が固定支柱部３４１の中空部に差し込まれ、可動支柱部３４２の凸部３４２ａと固定支柱部３４１の凹部３４１ａとが嵌合した状態で直立姿勢で固定される。また、フィルムロール包装体１の非搬送時には、可動支柱部３４２が結合箇所において基台部２２の中央部側に折り畳まれる。尚、この際、支柱３４、３４の先端部分は、基台部２２の上面に設けられた受部２２３、２２３に支持され、これらの間に所定の空間部が確保されることで、指の挟まり等が防止される。尚、受部２２３、２２３は、本発明の「第１の受部」に対応する。
【００４２】
尚、内側枠部３３、３３の構成としては、これに限らず、例えば支柱３４、３４の固定支柱部３４１と可動支柱部３４２とは、その結合箇所において着脱可能に構成しても良い。このような場合には、可動支柱部３４２の下端部が固定支柱部３４１の中空部に差し込まれる構成とし、可動支柱部３４２の凸部３４２ａと固定支柱部３４１の凹部３４１ａとが嵌合した状態で直立姿勢で固定されるものとする。このように、内側枠部３３、３３は、各々、基台部２２に対して分離可能に構成しても良い。しかしながら、このような場合には、分離した内側枠部３３、３３を物流過程において紛失することのないように気を配る必要が生じるため、上述のように折り畳まれる構成としたほうがより好ましい。
【００４３】
一方、外側枠部２３、２３は、図３に示すように、各々、２本の中空角形の支柱２４、２４間に横支持部材２５、２６が掛け渡されて成り、横支持部材２５の中央部には、図８に示すように、下向きに湾曲して、コア３の端部を載置し、フィルムロール包装体１を支持するための支持部２５ａが設けられている。また、横支持部材２５の支持部２５ａと平坦部２５ｂとの境界付近には、コア３を上方から押さえ付けて固定するための固定部材２７が、平坦部２５ｂに回動自在に取り付けられている。尚、支柱２４、２４は、本発明の「第２の支柱」に対応する。また、支持部２５ａは、本発明の「第２の支持部材」に対応する。また、固定部材２７は、本発明の「第２の固定部材」に対応する。
【００４４】
固定部材２７は、図８に示すように、支持部２５ａを渡すように設けられた固定バー２８と、この固定バー２８の一端を平坦部２５ｂに回動自在に支持する固定バー支持部２９と、固定バー２８の他端を平坦部２５ｂに固定する固定部３０、さらに、固定バー２８と一体的に形成されている側板部３１を有している。
【００４５】
また、固定バー支持部２９は、図８に示すように、断面コの字状となる支持部本体２９ａを有しており、固定バー２８の一端は、当該コの字が形成する空間内に収容されるよう設置されている。また、この収納された固定バー２８の一端には、ピン２９ｂが貫通配置されるとともに、該ピン２９ｂの両端は支持部本体２９ａの二つの側面に対して適当な手段により保持されている。固定バー２８は、このような構成により、図中矢印Ａに示すように垂直方向に回動自在となっている。また、支持部本体２９ａと平坦部２５ｂとの間には、図示しない回動部材が設けられており、これによって固定バー２８は、図中矢印Ｂに示すように水平方向にも回動自在となっている。
【００４６】
一方、固定部３０は、上記支持部本体２９ａと略同形状となる固定部本体３０ａを有しており、固定バー２８の他端を収納するような形で、これを固定する。
そして、図示のように収納された固定バー２８の他端は、固定バー用ロック機構３０ｂによってより確実な固定がなされる。
【００４７】
この固定バーロック機構３０ｂは、図８に示すように、金属片３０ｃ及びロックピン３０ｇによって構成されている。金属片３０ｃは、例えば平板状金属を図示所定の（半円断面部３０ｄを有する）形状に変形するとともに、半円断面部３０ｄを構成する金属片にコの字状の孔３０ｅを設けた形態を有している。そして、この金属片３０ｃの半円断面部３０ｄ内に、図中左右方向に移動可能なるロックピン３０ｇが設けられている。ロックピン３０ｇは、その先端に図示しない鍵（例えば、ピン先端を直角に折曲したもの）が、また、その他端にはレバー３０ｆが設けられている。このレバー３０ｆは、孔３０ｅを介して金属片３０ｃの外部へと突出している。
【００４８】
また、固定バー２８の他端先端部には、図示しない固定孔が設けられている。
そして、この固定孔の底部には、ロックピン３０ｇの先端に設けられた鍵に対応する鍵穴が設けられている。
【００４９】
以上に説明した構成により、レバー３０ｆによってロックピン３０ｇを図中左方向に移動させて、その先端を固定孔に挿入し、且つレバー３０ｆを回動させて、ロックピン３０ｇの鍵及び固定バー２８の鍵穴を嵌合させることで、固定バー２８は確実に固定される。
【００５０】
また、固定部材２７には側板部３１が設けられている。この側板部３１は、固定バー２８の側面に対して一体的に固着されるような形態で設けられ、フィルムロール包装体１を構成するコア３の端面部の位置を規定するために用いられる。
より具体的には、側板部３１は、図８に示すように、断面Ｌ字状の板状片であって、その一辺が固定バー２８に固着された形態となっており、支持部２５ａにコア３が載置された状態において、側板部主要面３１ａがコア３の端面乃至はその近傍付近に位置することで、コア３の端面部の位置を規定するようになっている。
【００５１】
尚、側板部３１の構成はこれに限らず、以下のように構成しても良い。例えば横支持部２５の側面には、図９に示すように、コア３が載置されたときに、このコア３と干渉を起こさない箇所に補強側板６０を設ける。補強板６０は、支持部２５ａの近傍に、折り返し面６０ａが形成されることによる袋部６０ｂを有した形態となっている。また、測板部３１においては、その測板部主要面３１ａに舌片部３１ｂが付加されており、固定バー２８が固定部３０によって固定されるときには、上記舌片部３１ｂが上記袋部６０ｂに収納されるような形となる。
【００５２】
このような構成により、側板部３１の作用は、より強化される。即ち、フィルムロール包装体１の軸方向に対する固定がさらに強固をなるので、より安定した搬送を実施することができる。
【００５３】
また、支柱２４、２４は、図１０に示すように、基台部２２に一体的に固着された固定支柱部２４１と、その結合箇所において、図中矢印Ｄに示すように垂直方向に回動可能に取り付けられた可動支柱部２４２から構成されており、このような構成において、フィルムロール包装体１を搬送する時には、可動支柱部２４２の下端部が固定支柱部２４１の中空部に差し込まれ、可動支柱部２４２の凸部２４２ａと固定支柱部２４１の凹部２４１ａとが嵌合した状態で直立姿勢で固定される。また、フィルムロール包装体１の非搬送時には、可動支柱部２４２が結合箇所において基台部２２の中央部側に折り畳まれる。尚、この際、支柱２４、２４の先端部分は、基台部２２の上面に設けられた受部２２４、２２４に支持され、これらの間に所定の空間部が確保されることで、指の挟まり等が防止される。尚、受部２２４、２２４は、本発明の「第２の受部」に対応する。
【００５４】
尚、当該外側枠部２３、２３と、基台部２２の天板２２２間には、基台部２２の中央部側に折り畳まれた内側枠部３３、３３がこれらに干渉することなく位置する。即ち、内側枠部３３の支柱３４、３４は、基台部２２の短手方向に関して、外側枠部２３の支柱２４、２４間に位置するように設けてあり、且つ内側枠部３３の支柱３４の起倒位置、即ち、可動支柱部３４２と固定支柱部３４１の結合位置は、外側枠部２３の支柱２４の起倒位置、即ち、可動支柱部２４２と固定支柱部２４１の結合位置よりも低い位置に設けている。
【００５５】
尚、前述した内側枠部３３、３３と同様に、外側枠部２３、２３の構成としては、これに限らず、例えば支柱２４、２４の固定支柱部２４１と可動支柱部２４２とは、その結合箇所において着脱可能に構成しても良い。しかしながら、このような場合には、分離した外側枠部２３、２３を物流過程において紛失することのないように気を配る必要が生じるため、上述のように折り畳まれる構成としたほうがより好ましい。
【００５６】
また、外側枠部２３の支柱２４の下端部は、図１１（ａ）、（ｂ）に示すように、その断面四辺から伸びる覆いが設けられ、皿部２４ａとして形成されている。この皿部２４ａは、支柱２４の軸方向に関し、覆いの張る面積が次第に大きくなるような形態とされる。また、皿部２４ａの内部及び支柱２４の上端部２４ｂの両者においては、嵌合部１０が形成されている。より詳しくは、嵌合部１０は、皿部２４ａ内部に形成された突起部１０ａ（図１１（ａ）参照）と、支柱上端部２４ｂに形成された凹部１０ｂ（図１１（ｂ）参照）とにより構成され、これら両者は、互いに形状の一致があるように形成される。因みに、突起部１０ａ及び凹部１０ｂは共に四角形状のものとなっている。架台２１は、このような構成により、その複数が積層される際、下部となる架台２１の支柱上端部２４ｂと、上部となる架台２１の支柱２４下端部としての皿部２４ａとの位置的対応をとりつつ載置して、支柱突起部１０ａ及び凹部１０ｂを互いに嵌合させることによって、より確実な固定が実現されることになる。
【００５７】
尚、支柱２４の構成はこれに限らず、以下のように構成しても良い。例えば、支柱２４の内部には、図１２に示すように、ロック機構７０が設けられており、このロック機構７０は、支柱２４の下端内部に設けられるロックピン挿脱部７１、及び支柱上端部２４に設けられるピン挿入孔７２により構成されている。ロックピン挿脱部７１は、ロックピン７３、このロックピン７３に付設されるレバー７４、このレバー７４を支柱２４外部に突出させ、且つ移動させるための孔７５、及びロックピン７３の先端を支柱２４外部へ突出させるために皿部２４ａ内部に形成されたピン挿脱部孔７６により構成されている。
【００５８】
ロックピン７３は、その先端に鍵７３ａを有している。また、孔７５は、コの字状に形成されており、レバー６４が当該孔６５の形状に沿って移動可能となっている。このレバー７４の移動に伴い、ロックピン７３も移動する。一方、ピン挿入孔７２には、ピン挿脱孔７６より突出したロックピン７３の先端が挿入されることになる。また、ピン挿入孔７２底部には、鍵穴７２ａが設けられており、ロックピン７３がピン挿入孔７２底部に到達したときに、レバー７４を孔６５に沿って回動させると、ロックピン７３先端に設けられた鍵７３ａが鍵穴７２ａに嵌合することとなる。
【００５９】
このような構成により、当該架台２１を積層設置した後、上部架台２１のロックピン挿脱部７１を上述のように操作して、下部架台２１の支柱上端部２４ｂにおけるピン挿入孔７２にロックピン７３を挿入し、且つ回動させて鍵７３ａ及び鍵穴７２ａを嵌合させることにより、上部架台２１及び下部架台２１は、より強固に固定されることとなる。
【００６０】
ところで、内側枠部３３の支持部３５ａは、外側枠部２３の支持部２５ａと比較して若干低い位置に設けることとする。これにより、内側枠部３３にかかるフィルムロール包装体１による荷重を軽減することができ、内側枠部３３に要求される強度が緩和されることから、内側枠部３３をより簡単な構造に、且つより軽量に構成することができ、これをもって、当該架台２１をより安価に、且つより軽量に構成することが可能となる。
【００６１】
また、フィルムロール包装体１を支持固定した場合に、コア３と当接する内側枠部３３の支持部３５ａ上面、及び外側枠部２３の支持部２５ａ上面には、各々、フィルムロール包装体１のコア３を保護するための弾性部材（例えば、ゴム板）を貼り付けることとする。また、フィルム２の側面部と当接する内側枠部３３の支持部３５ａ、横支持部材３５、３６の内側面、及び外側枠部２３の支持部２５ａ、横支持部材２５、２６の内側面等にも、それぞれフィルムロール包装体１のフィルム２を保護するための弾性部材（例えば、ゴム板）を貼り付けることとする。これにより弾性部材と、フィルム２の側面部が良好に当接して、例えば強く巻取りを行うことが出来ないフィルム２がコア３に巻回されていた場合であって、搬送過程においてコア３の軸方向に外力が加わった際にも、フィルム２に巻きずれが生じることを良好に防止することができる。従って、フィルムが破損して、その製品価値が失われることを防止することができる。
【００６２】
以下、当該架台２１の作用効果について、フィルムロール包装体１を実際に搬送する場合を想定して説明する。尚、本例においては、内側枠部３３、３３の間隔に対応した比較的小さな幅を有するフィルム２が巻回されたフィルムロール包装体１が当該架台２１に支持固定された場合を例に挙げる。
【００６３】
図４を参照して説明したように、当該架台２１に比較的小さな幅を有するフィルム２が巻回されたフィルムロール包装体１を支持固定する場合には、内側枠部３３の支柱３４、３４及び外側枠部２３の支柱２４、２４を、それぞれ直立姿勢した状態で固定して、内側枠部３３の支持部３５ａ及び外側枠部２３の支持部２５ａにコア３を載置してフィルムロール包装体１を支持し、内側枠部３３の固定部材３７及び外側枠部２３の固定部材２７によって、フィルムロール包装体１を固定した状態とする。
【００６４】
この際、内側枠部３３においては、固定バー３８を、図６を参照して説明したように、矢印Ａ或いは矢印Ｂに示す方向に自在に回動させて、その位置を適当に調整した後、コア３を支持部３５ａに載置し、コア３の上部を押さえ付けるようにして固定バー３８を倒し、固定部４０によってコア３を固定する。このとき、フィルム２を包装する包装材５、６とコア３とを接着している接着テープ７の部分は、図１３に示すように、固定バー３８と支持部３５ａによって支持固定される。尚、この際、フィルム２の側面部と固定バー３８及び支持部３５ａとの間隔は、１０ｍｍ〜２０ｍｍ程度確保されることが好ましい。これにより、例えば強く巻取りを行うことが出来ないフィルム２がコア３に巻回されていた場合であっても、フィルム２を包装し、その両端部においてこれを絞り込んでいる包装材５及び包装材６の両端部を固定することができるので、搬送過程においてコア３の軸方向に外力が加わった場合にも、フィルム２に巻きずれが生じることを良好に防止することができる。また、このような場合には、フィルム１０２の端面部は、固定バー３８や支持部３５ａの内側面と接触することがないため、フィルム２の側面部が破損して、その製品価値が失われるといったことを防止することができる。従って、このような場合には、フィルム２の側面部と当接する内側枠部３３の支持部３５ａ、横支持部材３５、３６の内側面等には、それぞれフィルムロール包装体１のフィルム２を保護するための弾性部材を貼り付ける必要がなくなる。
【００６５】
因みに、このような構成は、外側枠部２３においても同様であり、例えば外側枠部２３、２３の間隔に対応した比較的大きな幅を有するフィルム２が巻回されたフィルムロール包装体１を支持固定する場合には、外側枠部２３の固定バー２８と支持部２５ａによって、以上に説明した効果が得られるようにする。従って、このような場合には、フィルム２の側面部と当接する外側枠部２３の支持部２５ａ、横支持部材２５、２６の内側面等には、それぞれフィルムロール包装体１のフィルム２を保護するための弾性部材を貼り付ける必要がなくなる。
【００６６】
一方、外側枠部２３においては、固定バー２８を、図８を参照して説明したように、矢印Ａ或いは矢印Ｂに示す方向に自在に回動させて、その位置を適当に調整した後、コア３を支持部２５ａに載置し、コア３の上部を押さえ付けるようにして固定バー２８を倒し、固定部３０によって固定する。このとき、固定バー２８に設けられた側板部３１は、自動的にコア３の端面近傍に位置し、コア３の両端面部の位置を規定する。これにより、フィルムロール包装体１はコア３の両端面部の位置を規定され、コア３の軸方向へは動き得ない状態となる。
【００６７】
以上によって、フィルムロール包装体１は、当該架台２１に支持固定され、次に、このフィルムロール包装体１を支持固定した架台２１を複数積層する作業が行われる。
【００６８】
まず、クレーン等の適当な手段により、１つの架台２１（以下、上部架台という）を上方に吊り上げ、その支柱２４下端部、即ち皿部２４ａの下方位置にもう１つの架台２１（以下、下部架台という）の支柱２４を位置させる。そして、下部架台２１の支柱２４の上端部２４ｂが上部架台２１の支柱皿部２４ａに挿入されるように、上部架台２１を徐々に降下させて、上部架台２１の皿部２４ａ内部に設けられた突起部４０ａと下部架台２１の支柱上端部２４ｂに設けられた凹部４０ｂとを互いに嵌合させる。
【００６９】
尚、本例においては、フィルムロール包装体１を支持固定した状態の架台２１に関する積層作業を想定しているが、場合によっては、下部架台２１に対するフィルムロール包装体１の支持固定作業を行った後、この下部架台２１に対する空の上部架台２１の積層作業を行い、さらに、当該上部架台２１に対するフィルムロール包装体１の支持固定作業を行うといった作業手順でも良い。
【００７０】
以上のようにして、フィルムロール包装体１を支持固定した架台２１が複数積層されたもの（以下、搬送体という）は、トラック等に積載された後、目的の工場等へと搬送される。
【００７１】
ところで、当該架台２１においては、内側枠部３３、３３の間隔、及び外側枠部２３、２３の間隔の何れかに対応する、少なくとも２つの異なる幅を有するフィルム２が巻回されたフィルムロール包装体１を支持固定することが可能になっているため、例えば、異なる幅を有するフィルム２が巻回されたフィルムロール包装体１を搬送する場合であっても、当該架台２１を共通して用いることができる。従って、当該架台２１をトラック等に積層する際の積載効率や、工場等において保管する際の滞留効率等を向上することができる。
【００７２】
また、当該架台２１においては、フィルム２の側面部と当接する内側枠部３３の支持部３５ａ、横支持部材３５、３６の内側面、及び外側枠部２３の支持部２５ａ、横支持部材２５、２６の内側面等に、それぞれフィルムロール包装体１のフィルム２を保護するための弾性部材（例えば、ゴム板）を貼り付けられるので、或いは、内側枠部３３、３３の固定バー３８及び支持部３５ａ、或いは、外側枠部２３、２３の固定バー２８及び支持部２５ａにより、フィルム２を包装し、その両端部においてこれを絞り込んでいる包装材５及び包装材６の両端部を固定するので、例えば強く巻取りを行うことが出来ないフィルム２が巻回されたフィルムロール包装体１を搬送する場合であって、その搬送過程においてコア３の軸方向に外力が加わった際にも、フィルム２に巻きずれが生じることを良好に防止することができる。従って、フィルム２の側面部が破損して、その製品価値が失われるといったことを防止することができる。
【００７３】
説明に戻って、工場等へと納品されたフィルムロール包装体１を支持固定した架台２１は、フィルムロール包装体１０１が取り出された後、回収される。この際、内側枠部３３、３３の支柱３４、３４及び外側枠部２３、２３の支柱２４、２４は、それぞれ図７及び１０を参照して説明したように、可動支柱部３４２が結合箇所において基台部２２の中央部側に折り畳まれ、また、可動支柱部２４２が結合箇所において基台部２２の中央部側に折り畳まれて、架台２１は、コンパクト化された状態で回収される。この際、基台部２２等から取り外されるものは存在しないことから、その物流過程において、部品等が紛失することもない。
【００７４】
［第二の実施形態］
次に、本発明に係るフィルムロール包装体搬送用架台の他の実施形態について、図面を参照して具体的に説明する。但し、以下においては、第一の実施形態と異なる部分についてのみ説明することとする。
【００７５】
本実施形態における架台は、図１４に示すように、内側枠部３４が、基台部２２の長手方向に関して水平移動可能に構成されている。具体的には、内側枠部３３の支柱３４、３４の固定支柱部３４１が、基台部２２の天板２２２に設けられたスライドレール２２５上を矢印Ｅ方向に水平移動可能に構成されているガイド部２２６に支持されている。尚、スライドレール２２５とガイド部２２６とで、本発明の「移動機構部」を構成する。また、支柱３４、３４の固定支柱部３４１には、固定ピン５０を挿通するための孔を有する固定用ブロック５１を一体的に設けて、固定ピン５０をスライドレール２２５上に設けられた孔に挿入することで、内側枠部３３をスライドレール２２５上の任意の位置に固定することが可能になっている。尚、固定支柱部３４１、固定ピン及びスライドレール２２５上に設けられた孔とで、本発明の「固定機構部」を構成する。
【００７６】
また、この他にも、例えば図１５に示すように、内側枠部３３の支柱３４、３４の固定支柱部３４１が、基台部２２の天板２２２に設けられたスライドレール２２５上を矢印Ｅ方向に水平移動可能に構成されているガイド部２２６に支持されると共に、支柱３４、３４の固定支柱部３４１に、スクリューネジ６０を係合するためのナット部を有する固定用ブロック６１を一体的に設けて、さらに、このナット部と係合するスクリューネジ６０、このスクリューネジ６０をスライドレール２２５に沿って支持する支持ブロック６２、６２及びスクリューネジ６０を回転させるためのハンドル６３を設けて、このハンドル６３を用いてスクリューネジ６０を回転させることで、内側枠部３３を矢印Ｅ方向に水平移動させる構成としても良い。因みに、支持ブロック６２、６２間、即ちスクリューネジ６０の長さを延長して、且つもう１つの内側枠部３３の支柱３４、３４の固定支柱部３４１には、逆ネジを切った固定用ブロック６１を一体的に設けて、これにスクリューネジ６０を係合させて、ハンドル６３を用いてスクリューネジ６０を回転させると、内側枠部３３、３３が互いに矢印Ｅ方向に近づいたり遠ざかったりする構成としても良い。
【００７７】
このように、本実施形態における架台においては、内側枠部３４が、基台部２２の長手方向に関して水平移動可能に構成されているので、内側枠部３４の位置調整を行うことで、任意の幅を有するフィルム２が巻回されたフィルムロール包装体１であっても、これを支持固定することができる。
【００７８】
【発明の効果】
以上に説明したように、本発明に係るフィルムロール包装体搬送用架台によれば、異なる大きさを有するフィルムロール包装体であっても、これらを共通して支持固定することができ、また、当該架台をコンパクト化して回収する際には、部品等が紛失する恐れもなく、さらには、強く巻取りの出来ないフィルムであっても、その巻ずれ等を良好に防止することができ、これらをもってフィルムロール包装体を安定して効率良く搬送することができる。
【図面の簡単な説明】
【図１】フィルムロール包装体の構成を示す概要図である。
【図２】図１に示すフィルムロール包装体の断面図である。
【図３】第１の実施形態に係るフィルムロール包装体搬送用架台の一構成例を示す斜視図である。
【図４】図３に示すフィルムロール包装体搬送用架台であって、図１に示すフィルムロール包装体（比較的幅の小さなフィルムを巻回したもの）を支持固定した状態を示す斜視図である。
【図５】図３に示すフィルムロール包装体搬送用架台であって、図１に示すフィルムロール包装体（比較的幅の大きなフィルムを巻回したもの）を支持固定した状態を示す斜視図である。
【図６】図３に示すフィルムロール包装体搬送用架台であって、内側枠部（第１の支持固定部）の固定部材（第１の固定部材）の構成例を示す斜視図である。
【図７】図３に示すフィルムロール包装体搬送用架台であって、内側枠部（第１の支持固定部）の動作可能範囲を示すものである。
【図８】図３に示すフィルムロール包装体搬送用架台であって、外側枠部（第２の支持固定部）の固定部材（第２の固定部材）の構成例を示す斜視図である。
【図９】図８に示す固定部材（第２の固定部材）に関する他の構成例を示す斜視図である。
【図１０】図３に示すフィルムロール包装体搬送用架台であって、外側枠部（第２の支持固定部）の動作可能範囲を示すものである。
【図１１】図３に示すフィルムロール包装体搬送用架台であって、外側枠部（第２の支持固定部）の支柱（第２の支柱）の構成例を示す斜視図である。
【図１２】図１１に示す外側枠部（第２の支持固定部）の支柱（第２の支柱）に関する他の構成例を示す斜視図である。
【図１３】図３に示すフィルムロール包装体搬送用架台であって、図１に示すフィルムロール包装体（比較的幅の小さなフィルムを巻回したもの）を内側枠部（第１の支持固定部）の支持部（第１の支持部材）において支持固定した状態を示す側面図である。
【図１４】第二の実施形態に係るフィルムロール包装体搬送用架台の内側枠部（第１の支持固定部）に関する構成例を示す斜視図である。
【図１５】図１４に示すフィルムロール包装体搬送用架台の内側枠部（第１の支持固定部）に関する他の構成例を示す斜視図である。
【図１６】フィルムロール包装体の構成例を示す側面図である。
【図１７】図１６に示すフィルムロール包装体を軸方向より臨む図である。
【図１８】従来のフィルムロール包装体搬送用架台の一構成例を示す斜視図である。
【符号の説明】
１  フィルムロール包装体
２  フィルム
３  コア
５、６  包装材
２１  フィルムロール包装体搬送用架台
２２  基台部
２２１  基枠部
２２２  天板
２３  外側枠部（第２の支持固定部）
２４  支柱（第２の支柱）
２５、２６  横支持部材
３３  内側枠部（第１の支持固定部）
３４  支柱（第１の支柱）
３５、３６  横支持部材
【図１】
2004161314.tif 000003
【図２】
2004161314.tif 000004
【図３】
2004161314.tif 000005
【図４】
2004161314.tif 000006
【図５】
2004161314.tif 000007
【図６】
2004161314.tif 000008
【図７】
2004161314.tif 000009
【図８】
2004161314.tif 000010
【図９】
2004161314.tif 000011
【図１０】
2004161314.tif 000012
【図１１】
2004161314.tif 000013
【図１２】
2004161314.tif 000014
【図１３】
2004161314.tif 000015
【図１４】
2004161314.tif 000016
【図１５】
2004161314.tif 000017
【図１６】
2004161314.tif 000018
【図１７】
2004161314.tif 000019
【図１８】
2004161314.tif 000020